(57)【要約】  歯科用光硬化装置（１００）は、光硬化性合成物を硬化させるように構成されており、再充電可能な電源を含む。光硬化装置（１００）は、歯科用ハンドピース保持トレーに接続された再充電ドッキングステーション（２２０）によって受け取られ、これによって再充電されるように構成されている。再充電ドッキングステーション（２２０）は、歯科用ハンドピースホルダ（３００）の形態をとることができる。光硬化装置（１００）は、前記ドッキングステーション（２２０）の中に配置されたときに電気接触によって再充電される。
2007514504.tif 000002
【特許請求の範囲】
【請求項１】
光硬化性合成物を硬化させるように構成された再充電可能な歯科用光硬化装置であって、
装着可能端部分と発光端部分との間に延在するボデー部分であって、使用者の手の中に保持されるように構成されており、前記装着可能端部分が、歯科用ハンドピース保持トレーの標準ハンドピースホルダの中にぴったりとはまるサイズおよび形状に構成されたボデー部分と、
光硬化性合成物を硬化させるのに適した放射エネルギーを放出するように構成された光源であって、前記放射エネルギーが前記発光端部分から放出される光源と、
前記光源に給電するように構成された再充電可能な電源であって、歯科用ハンドピース保持トレーに装着された再充電ドッキングステーションに前記光硬化装置の前記装着可能端部分が装着されたときに前記再充電ドッキングステーションによって再充電されるように構成された電源と
を備えることを特徴とする装置。
【請求項２】
前記再充電可能な電源は、前記装着可能端部分のところから露出した電気接点を通して再充電されるように構成されていることを特徴とする請求項１に記載の再充電可能な歯科用光硬化装置。
【請求項３】
前記露出した電気接点は、前記装着可能端部分が前記再充電ドッキングステーションの中に受け取られたときに、前記再充電ドッキングステーションの対応する電気接点と電気的に結合することを特徴とする請求項１に記載の再充電可能な歯科用光硬化装置。
【請求項４】
前記露出した電気接点はピンを含むことを特徴とする請求項３に記載の再充電可能な歯科用光硬化装置。
【請求項５】
前記露出した電気接点は、前記装着可能端部分の少なくとも一部分を巻いて円周方向に延在する帯を含むことを特徴とする請求項３に記載の再充電可能な歯科用光硬化装置。
【請求項６】
前記再充電可能な電源は、前記装着可能端部分が前記再充電ドッキングステーションの中に受け取られたときに、前記再充電ドッキングステーションによる誘導によって再充電されるように構成されていることを特徴とする請求項１に記載の再充電可能な歯科用光硬化装置。
【請求項７】
水密であることを特徴とする請求項１に記載の再充電可能な歯科用光硬化装置。
【請求項８】
前記光源は前記発光端部分に配置されていることを特徴とする請求項１に記載の再充電可能な歯科用光硬化装置。
【請求項９】
前記光源は、ＬＥＤとＬＥＤアレイのうちの少なくとも一方を含むことを特徴とする請求項１に記載の再充電可能な歯科用光硬化装置。
【請求項１０】
光硬化性合成物を硬化させるように構成された再充電可能な歯科用光硬化装置であって、
装着可能端部分と発光端部分との間に延在する水密のボデー部分であって、使用者の手の中に保持されるように構成されたボデー部分と、
光硬化性合成物を硬化させるのに適した放射エネルギーを放出するように構成された光源であって、前記放射エネルギーが前記発光端部分から放出される光源と、
前記水密ボデーの中に配置された再充電可能な電源であって、前記光源に給電するように構成されており、さらに、再充電ドッキングステーションによる誘導によって再充電されるように構成されている電源と
を備えることを特徴とする装置。
【請求項１１】
前記装着可能端部分は、歯科用ハンドピース保持トレーの標準ホルダの中にぴったりとはまるサイズおよび形状に構成されていることを特徴とする請求項１に記載の再充電可能な歯科用光硬化装置。
【請求項１２】
前記再充電可能な電源は、前記光硬化装置の前記装着可能端部分が前記再充電ドッキングステーションに装着されたときに、前記再充電ドッキングステーションによる誘導によって再充電されるように構成されていることを特徴とする請求項１１に記載の再充電可能な歯科用光硬化装置。
【請求項１３】
前記光源は、ＬＥＤとＬＥＤアレイのうちの少なくとも一方を含むことを特徴とする請求項１に記載の再充電可能な歯科用光硬化装置。
【請求項１４】
光硬化性合成物を硬化させるように構成された再充電可能な歯科用光硬化キットであって、
光硬化装置を備え、前記光硬化装置は、
装着可能端部分と発光端部分との間に延在するボデー部分であって、使用者の手の中に保持されるように構成されており、前記装着可能端部分が、歯科用ハンドピース保持トレーの標準ホルダの中にぴったりとはまるサイズおよび形状に構成されたボデー部分と、
光硬化性合成物を硬化させるのに適した放射エネルギーを放出するように構成された光源であって、前記放射エネルギーが前記発光端部分から放出される光源と、
前記光源に給電するように構成された再充電可能な電源であって、再充電ドッキングステーションに前記光硬化装置の前記装着可能端部分が装着されたときに前記再充電ドッキングステーションによって再充電されるように構成された電源と
を備え、
前記再充電ドッキングステーションは、
前記光硬化装置の前記装着可能端部分と摩擦係合するサイズおよび形状に構成された装着ボデー構造と、
前記光硬化装置の前記装着可能端部分が前記装着ボデー構造の中に受け取られたときに前記再充電可能な電源を再充電するための手段と
を備える
ことを特徴とするキット。
【請求項１５】
前記再充電するための手段は、前記光硬化装置が前記再充電ドッキングステーションの前記装着ボデー構造の中に装着されたときに、前記光硬化装置から延在する電気ピンと電気的に結合するように構成された電気接点を含むことを特徴とする請求項１４に記載の再充電可能な歯科用光硬化キット。
【請求項１６】
前記再充電するための手段は、前記光硬化装置の周りに円周方向に延在する対応する電気接点と電気的に結合するように構成された電気接点を含むことを特徴とする請求項１４に記載の再充電可能な歯科用光硬化キット。
【請求項１７】
再充電するための前記手段は、前記光硬化装置の前記電源を誘導によって再充電するように構成された電磁気構成部品を含むことを特徴とする請求項１４に記載の再充電可能な歯科用光硬化キット。
【請求項１８】
前記光硬化装置は水密であることを特徴とする請求項１７に記載の再充電可能な歯科用光硬化キット。
【請求項１９】
前記光源はＬＥＤ光源を含むことを特徴とする請求項１４に記載の再充電可能な歯科用光硬化キット。
【請求項２０】
前記再充電ドッキングステーションはハンドピースホルダに接続されていることを特徴とする請求項１４に記載の再充電可能な歯科用光硬化キット。
【請求項２１】
前記再充電ドッキングステーションはさらに、前記ハンドピースホルダに接続されたハウジングを含むことを特徴とする請求項２０に記載の再充電可能な歯科用光硬化キット。
【請求項２２】
前記ハウジングは前記ハンドピースホルダを包囲していることを特徴とする請求項２１に記載の再充電可能な歯科用光硬化キット。
【請求項２３】
前記ハンドピースホルダは前記ハウジングに取外し可能に接続されていることを特徴とする請求項２１に記載の再充電可能な歯科用光硬化キット。
【請求項２４】
前記ハウジングは、前記再充電ドッキングステーションを平らな表面に垂直に置くことができるように構成されていることを特徴とする請求項２１に記載の再充電可能な歯科用光硬化キット。
【請求項２５】
前記ハウジングは、前記光硬化装置が前記光硬化装置の中に装着されているときに、前記再充電ドッキングステーションを平らな表面に垂直に置くことができるように構成されていることを特徴とする請求項２１に記載の再充電可能な歯科用光硬化キット。
【発明の詳細な説明】
【技術分野】
【０００１】
本発明は光硬化装置に関し、詳細には再充電可能な光硬化装置に関する。
【背景技術】
【０００２】
歯科学の分野ではしばしば、可視光などの放射エネルギーにさらされると硬化する感光性合成物で歯窩洞が埋められ、かつ／または閉鎖される。一般に光硬化性合成物と呼ばれているこれらの合成物は、窩洞形成後の窩洞の内部または歯の表面に置かれ、その後、歯科用光硬化装置によって照射される。
【０００３】
一部の光硬化装置は電池によって給電され、他の光硬化装置は、標準電気コンセントに結合されたコードを通して給電される。コード式の光硬化装置は有用ではあるが、その持ち運びは、装置が取り付けられたコードの長さによって多少制限される。したがって一部の歯科医は、コードによって近くに拘束されないため、電池給電式の光硬化装置が望ましいと感じている。しかし、既存の電池給電式光硬化装置は、標準歯科用ハンドピース保持トレーにしっかりと装着されるようには構成されていない。既存の電池給電式光硬化装置は一般に、歯科従事者が作業している歯科用トレーの上に不安定に置かれる。しかし、歯科用トレーの上に同じく置かれた他の物または合成物によって硬化装置が汚染される恐れがあるため、このことはいくぶん望ましくない。このことはさらに、硬化装置が偶発的に床に落下する可能性を増大させ、そこで損傷またはさらなる汚染が起こる可能性がある。
【０００４】
硬化装置装着ステーションから離れた場所にある歯科用トレーのところに座った歯科医は、希望するときに光硬化装置を容易かつ都合よく手にすることがでない可能性があるため、歯科用トレーから離れた場所に硬化装置を装着することもいくぶん望ましくない。
【０００５】
既存の電池給電式光硬化装置および再充電可能な光硬化装置の他の問題は、それらが水密でなく、それによって、水による繊細な内部構成部品の損傷を潜在的に引き起こすことなく光硬化装置を十分に洗浄することの難しさが増大することである。
【０００６】
したがって、以上のことを考慮すれば、当技術分野では現在、改良された歯科用光硬化装置、特に再充電可能な歯科用光硬化装置が求められている。
【発明の開示】
【発明が解決しようとする課題】
【０００７】
本発明は、標準歯科用ハンドピース保持トレーに装着するように構成された再充電可能な歯科用光硬化装置を対象とする。
【課題を解決するための手段】
【０００８】
一実施形態ではこの光硬化装置が、歯科医の手の中に保持されるように構成されたボデーであって、装着可能端部分と発光端部分の間に延在するボデーを含む。装着可能端部分は、歯科用ハンドピース保持トレーの標準ホルダにぴったりとはまるサイズおよび形状に構成されており、発光端部分は、ＬＥＤ光源などの光源によって生成された光を放出するように構成されている。ただし光源はＬＥＤ光源に限定されるわけではない。
【０００９】
光硬化装置の電源は、光硬化装置の電気接点が再充電ドッキングステーションの対応する電気接点と電気的に結合するように光硬化装置の装着可能端部分が再充電ドッキングステーションの受取り端の中に配置されたときに再充電される。
【００１０】
他の実施形態では、光硬化装置が水密のボデーを備え、再充電用の電気接点が露出しない。この光硬化装置は、光硬化装置の装着可能端部分または他の部分内での誘導によって再充電されるように構成される。
【００１１】
本発明のこれら利点および特徴ならびにその他の利点および特徴は、以下の説明および添付の請求項からより完全に明白となり、または以下に記載されるとおりに本発明を実施することによって知ることができよう。
【００１２】
本発明の上記の利点および特徴ならびにその他の利点および特徴をさらに明らかにするため、次に、添付図面に示された本発明の具体的な実施形態を参照することによって本発明を具体的に説明する。これらの図面は本発明の一般的な実施形態を示すものであり、したがって本発明の範囲を限定するものではないことを理解されたい。本発明は、添付図面を使用することによって、追加の特性および詳細とともに記述され説明される。
【発明を実施するための最良の形態】
【００１３】
本明細書で使用される用語「歯科用ハンドピース」は一般に、歯を切削、洗浄または研磨しあるいは他の方法で処置するための回転具と係合する、手で持つタイプの歯科用装置を指す。用語「歯科用ハンドピース」は歯科業界では周知の技術用語である。歯科用ハンドピースの非限定的な例には、高速タービン、低速タービン、超音波装置および３ウェイシリンジが含まれる。歯科用ハンドピースは一般に、空気、電気および超音波の機構によって駆動される。
【００１４】
用語「歯科用ハンドピース保持トレー」は一般に、従来の歯科用ハンドピースを保持する形状およびサイズに特に構成されたスロットまたは保持装置を有するように構成されたトレーを指す。歯科用ハンドピース保持トレーは当業者には周知であり、保持トレーによって保持された歯科用ハンドピースへの接近を容易にするために、歯科用椅子のすぐ近くに置かれ、または歯科用椅子に直接に装着される。
【００１５】
用語「保持スロット」と「ホルダ」は本明細書では相互に交換可能に使用され、これらの用語は一般に、歯科用ハンドピースをしっかりと保持するサイズおよび形状に構成された装置を指す。保持スロットは、歯科用ハンドピース保持トレーの１つの一般的な特徴である。
【００１６】
用語「誘導」は、露出した電気接点を使用せずに電源を再充電する目的に利用することができ、光硬化装置が水密ボデーを含むことを可能にする、電磁的再充電方法または他の同様の再充電方法を指す。
【００１７】
最初に、本発明の歯科用光硬化装置の一実施形態を示す図１を参照する。図示のとおり歯科用装置１００は概ね、装着可能端部分１２０から発光端部分１３０まで延在するなめらかで細長いボデー１１０を有する歯科用ハンドピースの形状を有する。
【００１８】
発光端部分１３０は、光硬化性合成物を硬化させるのに適した放射エネルギーを放出するように構成されている。これに応じて発光端部分１３０は、適当な光源によって生み出された放射エネルギーを放出しまたは他の方法で分散させるのに必要な任意の数のレンズ、シールド（ｓｈｉｅｌｄ）、フィルタおよび光ガイドを含むことができる。放射エネルギーを放出しまたは生成するために使用される光源は、この図に示されている２連式ＬＥＤ１３２などのＬＥＤ光源、またはＬＥＤアレイおよびバルブを含む他の任意の光源を含むことができる。ただしこれらに限定されるわけではない。この図では２連式ＬＥＤ１３２が、光硬化装置の発光端部分に配置されているように示されているが、光硬化装置の光源は、光硬化装置１００の内部または表面の任意の位置に配置することができることを理解されたい。
【００１９】
非使用期間中、歯科医が利用している歯科用トレー３００など、歯科医のすぐ近くの安定した位置に光硬化装置１００を装着しておくことが望ましいことがある。光硬化装置１００が装着される態様を促進するため、光硬化装置の装着可能端部分１２０は、歯科用ハンドピース保持トレーの標準ホルダ、例えば歯科用トレー３００のハンドピースホルダ２１０、２２０または２３０にぴったりとはまるサイズおよび形状に構成される。光硬化装置１００に上述の装着可能端部分１２０を装備する１つの利点は、歯科従事者の必要に応じて、光硬化装置１００を異なるトレーホルダ間で容易に移動し、光硬化装置１００をそれらの中に固定することができることである。光硬化装置が偶発的に床に落下する可能性を減らすことができるため、光硬化装置１００を歯科用トレー３００に固定することは便利なだけでなく、実用的でもある。
【００２０】
一実施形態では光硬化装置１００がさらに、光硬化装置のボデーの中に収容された再充電可能な電源（図示せず）を有するように構成される。光硬化装置１００のこの内部電源は、再充電ステーションとの電気的接触を通じて再充電することができる。
【００２１】
一実施形態によれば再充電ステーションは、歯科用ハンドピース保持トレー３００と一体化され、または歯科用ハンドピース保持トレー３００に固定される。このことは、光硬化装置１００がトレー３００に装着されるのと同時に、光硬化装置１００が再充電されることを可能にする。光硬化装置１００がホルダ／再充電ステーションの中にしっかりと保持されている間に光硬化装置１００を再充電することができるように、一実施形態では再充電ステーションが、トレーのホルダと一体化され、またはトレーのホルダに直接に接続される。例えば、ホルダ２２０に接続された電源が光硬化装置１００を再充電することを可能にする充電構成部品を有するように、ホルダ２２０を構成することができる。電流は、図示のように電力コード３５０によって、または他の適当な電力伝達手段によって、再充電ドッキングステーション（例えばホルダ２２０）に供給することができる。
【００２２】
図２は、光硬化装置１００の装着可能端部分１２０と摩擦係合するように構成された装着ボデー構造２３０を有するように再充電ドッキングステーション／ホルダ２２０が構成される態様を示している。具体的には装着ボデー構造２３０は、光硬化装置１００の装着可能端部分１２０と一致するサイズおよび形状に形成された内部空洞２４０を有するように形成され、そのため、装着可能端部分１２０がホルダ２２０の空洞２４０に挿入されたときに、装着ボデー構造２３０は光硬化装置１００を所望の位置にしっかりと保持する。
【００２３】
図２はさらに、再充電ドッキングステーション２２０が、光硬化装置１００の装着可能端部分１２０が再充電ドッキングステーション２２０の装着ボデー構造２３０の内部に受け取られたときに光硬化装置の電源を再充電する再充電手段２５０をさらに含む態様を示している。この図では再充電手段が、光硬化装置１００から延出した電気ピン１４０と電気的に結合するように構成された電気接点２６０を含むように示されている。
【００２４】
再充電ドッキングステーション２２０内での光硬化装置の位置合せを容易にするため、再充電ドッキングステーション２２０は、再充電ドッキングステーション２２０の装着ボデー構造２３０の中に形成された図示の溝２７０などの位置合せ構造を有するように構成することができる。この溝２７０は、再充電ドッキングステーション２２０の内部に光硬化装置の装着可能端部分１２０が適切に配置される間に、光硬化装置１００から延在するピンまたは他の突起（図示せず）を受け取るよう構成することができることを理解されたい。
【００２５】
図３に示された他の実施形態では、再充電ドッキングステーション５００の中に配置する際の光硬化装置４００の回転方向の位置合せの重要度が相対的に低く、したがってこれを無視することができ、それによって再充電ドッキングステーションの中に光硬化装置を配置する容易さが増大する。これは例えば、図４に示されているように、光硬化装置４００の周りに円周方向に延在する電気接点４１０と結合するように構成された再充電手段を利用することによって達成することができる。
【００２６】
具体的には、再充電ドッキングステーション５００を、図４に示されているように、相対的に異なる高さに配置された電気接点５１０を含む再充電手段５００を有するように構成することができる。このことは、光硬化装置４００が再充電ドッキングステーション５００の中に装着されたときに電気接点５１０が、これに対応して光硬化装置上の異なる高さに配置された異なる電気接点４１０と係合することを可能にする。
【００２７】
他の実施形態（図示せず）では、露出した電気接点を持たない水密ボデーを有するように光硬化装置を構成することができる。このような実施形態では、光硬化装置の再充電可能な電源を、誘導によってこの電源を再充電することを可能にする構成部品を有するように構成することができる。誘導による再充電を可能にするため、光硬化装置は、再充電ドッキングステーションの電磁気構成部品（図示せず）と相互作用する電磁気構成部品（図示せず）を含むことができる。
【００２８】
一実施形態では、光硬化装置の電磁気構成部品が、再充電ドッキングステーションの電磁気構成部品の少なくともいくつかを流れる電流によって生み出された磁場に反応する。所望の磁場を生成するためには、再充電ドッキングステーションの電磁気構成部品内の電流を脈動させるか、または、再充電ドッキングステーションの電磁気構成部品を光硬化装置の電磁気構成部品に対して移動させ、その間ずっと、再充電ドッキングステーションの電磁気構成部品に電流を定常的に流す。当業者には理解されることだが、こうすることによって光硬化装置の電磁気構成部品内に電流を生み出すことができ、この電流を使用して、再充電可能な電源を充電し光硬化装置に給電することができる。
【００２９】
誘導によって光硬化装置を再充電する１つの利点は、電気接点をボデーの外側に露出させる必要がないため、水密ハウジングを有する光硬化装置の製造が容易になることである。水密ボデーは、電気接点を損傷する恐れなしに光硬化装置を洗浄することを可能にするのに役立ち、同時に、内部構成部品が洗浄中に水および他の溶液にさらされ、これによって内部構成部品が損傷を受ける可能性を低下させるのに有効であることを理解されたい。水密性を与えるため、光硬化装置のボデーはプラスチック、例えばポリウレタン、ポリエステル、ポリカーボネート、ナイロン、テフロン（商標）、他のプラスチック、これらの組合せなどから構成することができる。
【００３０】
前述のとおり、本発明の光硬化装置は、歯科用ハンドピース保持トレー、例えば歯科用トレーの歯科用ハンドピースホルダに装着することができる再充電ドッキングステーションによって再充電されるように構成される。本明細書に記載されるさまざまな実施形態によれば、再充電ドッキングステーション内での光硬化装置の回転方向の位置合せを要求し、または無視することができる。いくつかの実施形態ではさらに、光硬化装置を誘導によって再充電し、それによって露出した電気接点を手入れする必要を排除することができる。
【００３１】
本明細書に示され説明される実施形態は、パワーアダプタまたは他の特定の電気構成部品について説明せず、またはこれらを示さないが、これらの構成部品は、希望に応じて光硬化装置および／または再充電ドッキングステーションに組み込むことができることを理解されたい。例えばパワーアダプタは、再充電ドッキングステーションに組み込み、または再充電ドッキングステーションから離れた位置（例えば電力コード３５０の下方線上）に配置し、あるいは光硬化装置に組み込むことができる。さらに、電力コード３５０は再充電ドッキングステーションに一体に接続されているように示されているが、電力コードは、再充電ドッキングステーションに取外し可能に接続することができることを理解されたい。電力コードはさらに、歯科用トレーおよび歯科用ステーションの内部に一体に配置することができ、それによってコードにつまずき、または他の方法で歯科従事者の移動を妨げる危険を排除することができる。
【００３２】
他の実施形態では、再充電ドッキングステーションを、カウンタートップ、歯科用トレーなどの比較的に平らな表面に置くように構成することができる。図５および６に示されたこのような実施形態は、さまざまな理由から歯科医が、再充電ドッキングステーションを前述のように歯科用トレーに取り付けたくないときに特に有用である。
【００３３】
図５は、図３および４に示され説明された電気接点４１０を有する光硬化装置４００の一実施形態を示す。図示の再充電ドッキングステーション７００はさらに、図３および４に関して説明された光硬化装置４００の端部と電気的および物理的に結合するように構成されたハンドピースホルダ７１０を含む。しかし以前の実施形態とは異なり、この図に示された再充電ドッキングステーション７００は、再充電ドッキングステーション７００が比較的に平らな表面に垂直に置かれるように構成されるような方法でハンドピースホルダ７１０に接続されたハウジング７２０を含む。さらに、ハウジングのサイズ、形状および重量は、光硬化装置４００がハンドピースホルダ７１０の中に装着されているときでも再充電ドッキングステーション７００を垂直に支持するように構成される。
【００３４】
歯科従事者がハンドピースホルダ７１０とハウジング７２０の間の接続について知る必要がなく、またはこの接続について心配する必要がないように、再充電ドッキングステーション７００は製造時に組み立てることができる。実際、ハウジング７２０は、図示のようにハンドピースホルダ７１０を完全に包囲するように構成することができる。この実施形態の１つの利点は、医療従事者が、再充電ドッキングステーションをさまざまな形態要素から選択することができ、同時に製造者が、光硬化装置と電気的および物理的に結合するようにすでに構成されているハンドピースホルダ７１０によって提供される有用性および機能を利用することができることである。したがって製造者は、ハウジング７２０を製造し、ハウジング７２０をハンドピースホルダ７１０に組み付けるだけでよい。しかし場合によっては、ハンドピースホルダ７１０のわずかな変更が必要となることもある。
【００３５】
図６に示された他の実施形態では、医療従事者がハウジングの中にハンドピースホルダ８１０を手で配置することができるようにハウジング８１０に取外し可能に接続することができるハンドピースホルダ８１０を有するように、再充電ドッキングステーション８００を構成することができる。このような実施形態に対応するため、ハウジング８１０は、ハンドピースホルダ８１０に取り付けられたコード８３０を通すことができる十分な開口８２０を有するように構成される。ハンドピースホルダ８１０とハウジング間の接続は、摩擦ばめ、スナップばめ、または取外し可能な他のタイプの接続とすることができる。いくつかの実施形態では、接着剤を用いるなどしてハンドピースホルダ８１０をハウジングに永久に取り付けることもできる。
【００３６】
図６に示された実施形態の１つの利点は、さまざまな必要および好みに対応するため、再充電ドッキングステーションを装着する代替選択肢を歯科従事者に提供することである。
【００３７】
本発明は、本発明の趣旨または必須の特性から逸脱することなく他の種々の形態で具体化することもできることを理解されたい。説明された実施形態はあらゆる点で例示のためのものであって、限定するためのものではない。したがって本発明の範囲は、以上の説明によって指示されるのではなく添付の請求項によって指示される。請求項の等価物の意味および範囲に含まれる全ての変更は請求項の範囲に包含される。
【図面の簡単な説明】
【００３８】
【図１】３つのハンドピースホルダを有する歯科用ハンドピース保持トレーと、再充電ステーションを含むハンドピースホルダの中に装着された歯科用光硬化装置とを示す透視図である。
【図２】図１の光硬化装置の正面図、および光硬化装置の下に配置され、光硬化装置を受け取りこれを再充電するように構成されたハンドピースホルダの一実施形態の部分破断図である。
【図３】３つのハンドピースホルダを有する歯科用ハンドピース保持トレーと、光硬化装置を再充電するように構成された１つのハンドピースホルダの中に受け取られその中で再充電されるように構成された歯科用光硬化装置とを示す透視図である。
【図４】図３の光硬化装置の正面図、および光硬化装置の下に配置され、光硬化装置を受け取りこれを再充電するように構成されたハンドピースホルダの一実施形態の部分破断図である。
【図５】図３の光硬化装置の透視図、および光硬化装置を受け取りこれを再充電するように構成されたハンドピースホルダを包囲した再充電ユニットの透視図である。
【図６】光硬化装置を再充電するように構成されたハンドピースホルダと、ハンドピースホルダに取外し可能に接続されたハウジングとを含む再充電ユニットの透視図である。
【図１】
2007514504.tif 000003
【図２】
2007514504.tif 000004
【図３】
2007514504.tif 000005
【図４】
2007514504.tif 000006
【図５】
2007514504.tif 000007
【図６】
2007514504.tif 000008
【国際調査報告】
2007514504.tif 000009